(57)【要約】【課題】光接続ユニットにおいて作業性を良好にすることができる光ファイバ識別器具の提供。【解決手段】光接続ユニットの光コネクタハウジングにコネクタ接続された光ファイバに着脱自在に装着されて、この光ファイバを保持するヘッド部２と、ヘッド部２に連結された操作棒３とを備えた光ファイバ識別器具１。ヘッド部２は、操作棒３の操作によって光ファイバを保持した状態でこの光ファイバの長さ方向に移動可能とされている。【選択図】図１
2010224490.tif 000002
【特許請求の範囲】
【請求項１】
光接続ユニット（２１）の光コネクタハウジング（２２）にコネクタ接続されて集合配置された複数の光ファイバ（２３）のうち１つを着脱自在に装着して保持するヘッド部（２）と、前記ヘッド部に連結された操作棒（３）とを備え、
前記ヘッド部は、前記操作棒の操作によって、前記光ファイバを保持した状態でこの光ファイバの長さ方向に移動することを特徴とする光ファイバ識別器具。
【請求項２】
前記ヘッド部は、前記光ファイバを収容可能な収容溝（４）を有する本体部（５）と、この本体部に対し周回りに回動することにより前記収容溝を開閉可能なカバー部（６）とを備え、
前記カバー部を回動させて前記収容溝を覆うことにより、前記光ファイバを長さ方向移動自在に収容溝から脱落阻止できることを特徴とする請求項１に記載の光ファイバ識別器具。
【請求項３】
前記ヘッド部の先端部分は、先端に向けて徐々に細径となるように形成され、
前記操作棒は、前記ヘッド部の後端部に連結されていることを特徴とする請求項１または２に記載の光ファイバ識別器具。
【請求項４】
前記操作棒は、弾性的に曲げ変形することを特徴とする請求項１〜３のうちいずれか１項に記載の光ファイバ識別器具。
【請求項５】
前記カバー部の側部にはスリット（１３）が形成され、前記スリットは、前記カバー部の先端に形成された入口部（６ａ）から後端に形成された出口部（６ｂ）に連通して形成され、
前記カバー部の回動により、前記スリットが前記収容溝に位置合わせされて前記光ファイバを収容溝に導入することを特徴とする請求項２に記載の光ファイバ識別器具。
【発明の詳細な説明】
【技術分野】
【０００１】
本発明は、光配線盤や光接続箱等の光接続ユニットにおいて光ファイバの識別のために使用できる識別器具に関する。
【背景技術】
【０００２】
光接続ユニットは、多数本の光ファイバコード等の光ファイバが接続されて用いられている（例えば特許文献１を参照）。
光ファイバの本数が多い場合には、これらが束状に集合配置され、配線変更などのため一部の光ファイバを撤去する作業や保守作業等において、一端側が光接続ユニットに接続された目的の光ファイバの他端側を特定するのが難しくなる。
このため、この光ファイバの一端側を長さ方向に引いてこの光ファイバを移動させ、他端側においてその光ファイバを確認することが行われている。
【先行技術文献】
【特許文献】
【０００３】
【特許文献１】特開２００４−２４６１４７号公報
【発明の概要】
【発明が解決しようとする課題】
【０００４】
近年では、より多数本の光ファイバ（光ファイバコード等）が接続可能な光接続ユニットが用いられてきている。
光ファイバの数が多くなる（例えば数十〜数百本となる）と、目的の光ファイバの他端側を特定するのがいっそう難しくなる。当該光ファイバの他端側の特定のため、この光ファイバを長さ方向に動かそうとしても、集合して配線された光ファイバどうしの摩擦により光ファイバは移動しにくくなる。
このため、目的の光ファイバの他端側を特定するのが難しくなり、光ファイバ撤去作業や保守作業等において作業性が低下することがあった。
本発明は前記事情に鑑みてなされたもので、光接続ユニットにおいて作業性を良好にすることができる光ファイバ識別器具の提供を目的とする。
【課題を解決するための手段】
【０００５】
本発明の請求項１にかかる発明は、光接続ユニットの光コネクタハウジングにコネクタ接続されて集合配置された複数の光ファイバのうち１つを着脱自在に装着して保持するヘッド部と、前記ヘッド部に連結された操作棒とを備え、前記ヘッド部は、前記操作棒の操作によって、前記光ファイバを保持した状態でこの光ファイバの長さ方向に移動する光ファイバ識別器具である。
本発明の請求項２にかかる発明は、請求項１において、前記ヘッド部は、前記光ファイバを収容可能な収容溝を有する本体部と、この本体部に対し周回りに回動することにより前記収容溝を開閉可能なカバー部とを備え、前記カバー部を回動させて前記収容溝を部分的に閉じることにより、前記光ファイバを長さ方向移動自在に収容溝から脱落阻止できる光ファイバ識別器具である。
本発明の請求項３にかかる発明は、請求項１または２において、前記ヘッド部の先端部分は、先端に向けて徐々に細径となるように形成され、前記操作棒は、前記ヘッド部の後端部に連結されている記載の光ファイバ識別器具である。
本発明の請求項４にかかる発明は、請求項１〜３のうちいずれか１項において、前記操作棒は、弾性的に曲げ変形する光ファイバ識別器具である。
本発明の請求項５にかかる発明は、請求項２において、前記カバー部の側部にはスリットが形成され、前記スリットは、前記カバー部の先端に形成された入口部から後端に形成された出口部に連通して形成され、前記カバー部の回動により、前記スリットが前記収容溝に位置合わせされて前記光ファイバを収容溝に導入する光ファイバ識別器具である。
【発明の効果】
【０００６】
本発明の光ファイバ識別器具は、光ファイバを保持するヘッド部と、このヘッド部を操作する操作棒とを備え、ヘッド部が光ファイバの長さ方向に移動可能とされているので、集合配置された光ファイバのうち特定の光ファイバに対し、ヘッド部を当該光ファイバの一端側から他端側に移動させることで、当該光ファイバの他端側を確実に特定できる。
このため、光接続ユニットに接続された光ファイバの数が多い場合でも、目的の光ファイバを容易に特定できる。従って、光ファイバ撤去作業や保守作業等において作業性が良好となる。
【図面の簡単な説明】
【０００７】
【図１】本発明の光ファイバ識別器具の一実施形態を示す分解斜視図である。
【図２】光ファイバ識別器具の縦断面図である。
【図３】光ファイバ識別器具の横断面図である。
【図４】光ファイバ識別器具の縦断面図である。
【図５】光ファイバ識別器具の縦断面図である。
【図６】光ファイバ識別器具の横断面図である。
【図７】本発明の光ファイバ識別器具を使用可能な光接続ユニットを示す模式図である。
【図８】本発明の光ファイバ識別器具の使用方法の一例を示す工程図である。
【図９】前図に続く光ファイバ識別器具の使用方法を示す工程図である。
【図１０】前図に続く光ファイバ識別器具の使用方法を示す工程図である。
【図１１】前図に続く光ファイバ識別器具の使用方法を示す工程図である。
【発明を実施するための形態】
【０００８】
図１〜図３は、本発明の光ファイバ識別器具の一実施形態である光ファイバ識別器具１を示す図である。図１は光ファイバ識別器具１の分解斜視図であり、図２は光ファイバ識別器具１の縦断面図であり、図３は光ファイバ識別器具１の横断面図である。
図１〜図３に示すように、光ファイバ識別器具１は、光ファイバ２３に着脱自在に装着されて光ファイバ２３を保持するヘッド部２と、ヘッド部２の後端部２ａに連結された操作棒３とを備えている。
【０００９】
ヘッド部２は、収容溝４を有する本体部５と、本体部５に装着されるカバー部６とを有する。
本体部５は、略円柱状に形成され、その先端５ａから所定の長さの位置に周方向に沿う係止溝７が形成されている。本体部５において係止溝７より先端側の部分は、カバー部６が装着される装着部８とされている。
収容溝４は、装着部８に本体部５の長さ方向に沿って先端５ａから所定の長さにわたって形成され、光ファイバ２３を収容可能な長さと幅とされている。収容溝４は先端５ａに向けて徐々に深くなるように形成されている。
【００１０】
カバー部６は、断面円形のキャップ状とされ、ほぼ一定外径の基部１１と、先端方向に徐々に細径になる先端部分１２とを有する。
カバー部６の側部には、軸方向に沿ってスリット１３が形成されており、このスリット１３を通して光ファイバ２３を出し入れ可能である。スリット１３は、カバー部６の先端の入口部６ａと後端の出口部６ｂを連通するように形成されている。
カバー部６の後端部には、内方に向かって突出する係止突起１４が形成されており、係止突起１４が係止溝７に挿入されることでカバー部６が本体部５から脱落しないようになっている。
【００１１】
カバー部６は、本体部５に対し周回りに回動することにより収容溝４を開閉可能である。
図２および図３に示すように、カバー部６のスリット１３の周方向位置を収容溝４の位置に合わせると、光ファイバ２３をスリット１３から収容溝４に導入できる。
図４に示すように、光ファイバ２３を本体部５の収容溝４に収容した状態でカバー部６を周回りに回転させ、図５および図６に示すように、さらに回転させる。
【００１２】
図５および図６は、図２および図３に示す状態からカバー部６を１８０度回転させ、スリット１３を収容溝４に対し逆の向き（図５、図６における下方）に向けた状態を示す。この状態では、収容溝４はカバー部６に覆われ、光ファイバ２３を収容溝４から脱落阻止できるようになっている。
係止突起１４はカバー部６の全周ではなく、カバー部６の周方向の一部に形成されている。このため、光ファイバ２３を保持した状態（図５および図６に示す状態。以下、保持状態という）では、係止突起１４は光ファイバ２３には干渉せず、光ファイバ２３の光特性に悪影響が及ぶことはない。
【００１３】
図５および図６に示す状態においては、ヘッド部２は、光ファイバ２３を収容溝４からの脱落を阻止しつつ光ファイバ２３の長さ方向に移動可能である。
このため、操作棒３の操作によって、ヘッド部２を光ファイバ２３の長さ方向に移動させることができる。
操作棒３は、弾性的に曲げ変形できることが好ましい。
【００１４】
次に、光ファイバ識別器具１の使用方法の一例を説明する。
本発明の対象となる光ファイバは、例えば図７に示す光接続ユニット２１の光コネクタアダプタ２２（光コネクタハウジング）に光コネクタ２４（光コネクタプラグ）により接続された光ファイバ２３である。光ファイバ２３は、例えば、光ファイバコード、光ファイバ心線等である。光ファイバ２３は複数本が集合配置されている。
図７に示す光接続ユニット２１は、光コネクタアダプタ２２が形成された成端部２５の前面側に水平なトレイ２６が延出した構造を有する。成端部２５には、トレイ２６に垂直に配列された複数の光コネクタアダプタ２２からなるアダプタ配列部２７が、紙面に垂直な方向に所定間隔ごとに複数設けられている。
【００１５】
図８に示すように、束状に集合配置されている光ファイバ２３のなかで、光ファイバ撤去作業や保守作業等において目的とする１本の光ファイバ２３（符号２３Ａで示す）の一端側（光コネクタ２４（図７参照）に近い部分）をヘッド部２の収容溝４に収容し、図９に示すように、カバー部６を軸方向回りに回転させて光ファイバ２３Ａをヘッド部２に装着する。
続いて、図１０および図１１に示すように、操作棒３の前進操作によって、ヘッド部２を光ファイバ２３Ａの長さ方向に、光ファイバ２３の束に沿って他端側（図１０、図１１における右方向）に移動させる。これによって、光ファイバ２３Ａの他端側を特定できる。
【００１６】
ヘッド部２を光ファイバ２３Ａに沿って移動させる際には、束状の多数の光ファイバ２３の間を通過する場合があるが、ヘッド部２のカバー部６の先端部分１２は先細形状となっているため、ヘッド部２は容易に移動する。
また、操作棒３は、弾性的に曲げ変形可能であると、光ファイバ２３が曲がって配線されている場合でも、この配線方向に沿ってヘッド部２を移動させるのが容易になる。
【００１７】
多数の光ファイバ２３が集合配置されていると、光ファイバ２３Ａを識別するのが難しくなる。光ファイバ２３Ａの一端側を長さ方向に引いて光ファイバ２３Ａをわずかに移動させることにより他端側を特定することを試みても、束状になって配線された光ファイバ２３の摩擦によって光ファイバ２３Ａが移動しにくくなるため、他端側の特定が難しくなることがある。
これに対し、前述の構成の光ファイバ識別器具１を用いれば、ヘッド部２を光ファイバ２３Ａの一端側から他端側に移動させることで、この他端側を確実に特定できる。
このため、光ファイバ２３の数が多い（例えば数十〜数百本となる）場合でも光ファイバ２３Ａを容易に特定できる。従って、光ファイバ撤去作業や保守作業等において作業性が良好となる。
【００１８】
なお、本発明において「光コネクタハウジング」は、光コネクタプラグ同士を中継し、内部にて両光コネクタプラグが位置決め接続される光接続機器をいい、ここに例示した光コネクタアダプタのほか、光コネクタレセプタクル等、光コネクタ（光コネクタアダプタ）が挿入接続される、各種雌型の光コネクタを指す。
【符号の説明】
【００１９】
１・・・光ファイバ識別器具、２・・・ヘッド部、３・・・操作棒、４・・・収容溝、５・・・本体部、６・・・カバー部、１２・・・先端部分、２１・・・光接続ユニット、２２・・・光コネクタハウジング、２３・・・光ファイバ。
【図１】
2010224490.tif 000003
【図２】
2010224490.tif 000004
【図３】
2010224490.tif 000005
【図４】
2010224490.tif 000006
【図５】
2010224490.tif 000007
【図６】
2010224490.tif 000008
【図７】
2010224490.tif 000009
【図８】
2010224490.tif 000010
【図９】
2010224490.tif 000011
【図１０】
2010224490.tif 000012
【図１１】
2010224490.tif 000013